(57)【要約】発明は表示装置を有する携帯型データ記憶媒体に関する。データ記憶媒体は、マイクロプロセッサ及びマイクロプロセッサに附帯する記憶装置を、マイクロプロセッサに附帯する記憶装置に格納されたデータを表示するための手段とともに備える。さらに、データ記憶媒体は、表示手段を制御するための表示コントローラ並びに少なくとも表示ユニット及びそのコントローラにエネルギーを供給するためのエネルギー供給ユニットを備える。このようなデータ記憶媒体は、表示ユニットの所要エネルギーを低減するように改善することができる。この改善はマイクロプロセッサ及びその記憶装置とは別個に配された不揮発性メモリにより得られ、不揮発性メモリは表示手段のコントローラに附帯し、表示されるべきデータを収める。
2004504678.tif 000002
【特許請求の範囲】
【請求項１】
表示装置を有し：
−　マイクロプロセッサ及び前記マイクロプロセッサに附帯する記憶装置；
−　外部装置との非接触型及び／または接触型結合を行うための手段；
−　前記マイクロプロセッサに附帯する前記記憶装置に格納されたデータを表示または選択するための手段；
−　前記表示手段を制御するための表示コントローラ；
−　少なくとも前記表示ユニット及び前記表示コントローラにエネルギーを供給するためのエネルギー供給ユニット；
を備える携帯型データ記憶媒体において：
−　前記マイクロプロセッサ及び前記マイクロプロセッサに附帯する前記記憶装置とは別個に配された不揮発性メモリであって、前記表示手段の前記コントローラに附帯しており、表示されるべきデータを収める不揮発性メモリ；
を備えることを特徴とする携帯型データ記憶媒体。
【請求項２】
前記マイクロプロセッサのシステムクロックより低周波数のシステムクロックが別個のクロック発生器により前記表示コントローラに供給されることを特徴とする請求項１記載の携帯型データ記憶媒体。
【請求項３】
前記コントローラに附帯する前記不揮発性メモリが前記不揮発性メモリの上流にバッファを有することを特徴とする請求項１または２記載の携帯型データ記憶媒体。
【請求項４】
前記マイクロプロセッサ及び前記マイクロプロセッサに附帯する前記記憶装置が電子財布を形成するために備えられ、前記表示コントローラに附帯する前記別個のメモリが前記財布に存在する現残高及び以前の取引データを格納することを特徴とする請求項１から３いずれか１項記載の携帯型データ記憶媒体。
【請求項５】
前記表示コントローラがスイッチで作動することを特徴とする請求項１から４いずれか１項記載の携帯型データ記憶媒体。
【請求項６】
電子財布を動作させるための方法において：
−　取引の終了前に、取引データが金銭管理ＩＣのメモリから別個のメモリにコピーされるステップ；
−　該コピー操作の終了後に、表示コントローラから前記金銭管理ＩＣに第１の確認信号が送られるステップ；
−　前記第１の確認信号の受領後、続いて前記金銭管理ＩＣが第２の確認信号を端末に送るステップ；及び
−　前記第２の確認信号の受領後、視覚または音響表示を用いて、前記端末がユーザにカードの取出しを求めるステップ；
を含むことを特徴とする方法。
【発明の詳細な説明】
【０００１】
発明の分野
本発明は特許請求項１の属概念部分にしたがう表示装置を有する携帯型データ記憶媒体に関する。
【０００２】
関連技術
独国特許出願公開第ＤＥ−Ａ ４２ ０３ ７４８号明細書は、スマートカードを用いる支払がカードの不揮発性メモリに記録される、再補填可能なスマートカードの利用及び残高確認のための方法を開示している。毎補填時に、以前の支払取引は消去され、利用可能なクレジット残高が格納される。特に、最新の入金額または最新の出金額がカード上に配された表示部に表示されるという特徴が提供される。そのような方法または装置の目的は、ユーザがユーザの現クレジット残高または最新の取引をチェックする可能性が少なくともいくらかはあることから、財布スマートカードの利用者を増やすことである。
【０００３】
さらに、独国特許出願公開第ＤＥ−Ａ １９６ ３１ ５５７号明細書はスマートカード用表示ユニットを開示している。ここでも、財布スマートカードの利用者を増やすことが、現クレジット残高の表示の目的とされている。提示されるスマートカードは、カードに通常に付帯する磁気ストライプ及び浮彫模様をつけるためのフィールドとともに、端子をもつスマートカードプロセッサを有する。さらに、表示コントローラが表示部を制御するための個別ユニットとして実装される。表示部に必要な電力供給のため、太陽電池が備えられる。
【０００４】
既知のスマートカードの欠点は、利用できるエネルギー源の容量が小さいため、電力供給問題がスマートカードに生じることである。特に、安全性の理由により少なくとも１メガヘルツでなければならない、カードマイクロプロセッサの比較的高いクロック周波数による高い電流消費のため、エネルギー源の有効寿命がかなり制限されるか、あるいは例えばスマートカードにおいて、太陽電池の使用が非常に困難になるかまたは不可能となることが問題であることがわかっている。
【０００５】
したがって、特に表示制御及びデータ記憶のための所要エネルギーが低い表示装置を有する携帯型データ記憶媒体を提示することが、本発明の課題である。
【０００６】
発明の概要
上記課題は、特許請求項１の属概念部分の特徴を基にして示される特許請求項１の特徴により、解決される。本発明にしたがう電子財布を動作させるための方法は、特許請求項６に提示される。
【０００７】
本発明の有用な実施形態は従属請求項に提示される。
【０００８】
本発明にしたがえば、カードマイクロプロセッサとは独立に動作させることができる付加メモリが用いられる態様が提供される。このメモリは表示のために解放されるデータを格納する。この付加メモリは表示コントローラに附帯し、したがってカードマイクロプロセッサからは独立している。詳しくは、表示されるべきデータに対してマイクロプロセッサが動作状態にある必要がないこと、すなわち、わずかな機能ユニット、例えば、クロック発生器、表示コントローラ及び記憶装置にしかエネルギーを供給する必要はないから、所要エネルギーを低減できることが利点である。
【０００９】
表示コントローラに、したがって間接的には付加メモリーにも、個別のクロック発生器を与え、この個別クロック発生器で発生されるシステムクロックのクロック周波数をマイクロプロセッサのシステムクロックより低くすることが特に有利であることがわかった。これにより、データを表示するための所要エネルギーのさらなる低減が得られる。
【００１０】
さらに、不揮発性メモリの上流にバッファを接続することが有利であることがわかった。マイクロプロセッサから付加メモリへの表示データの転送中に、データが付加メモリに転送されている間であってもユーザが端末からカードを取り出す可能性があるため、バッファは整合しないデータが付加メモリに格納されることを防止する安全段を構成する。データは、データがマイクロプロセッサメモリから完全に転送されたときにしか、バッファから付加メモリに転送されない。マイクロプロセッサからバッファへのデータ転送は、スマートカードに実装された転送プロトコルにしたがって、シリアルインターフェースを介して実施される。バッファから付加メモリへの転送はパラレルインターフェースを介して実施でき、これにより、バッファから付加メモリへのデータ転送時間が非常に短くなる。
【００１１】
さらに、カードに配されたエネルギー源を転送のために用いることができるから、端末によるエネルギー供給無しに転送を実施することもできる。
【００１２】
本発明の別の有用な実施形態にしたがえば、携帯型データ記憶媒体は電子財布、すなわち、付加メモリが財布に存在する現残高だけでなく過去の取引データも格納し、よって、必要であればユーザが過去の取引データを呼び出すことができる、財布スマートカードである。
【００１３】
表示コントローラは、例えば、スイッチを１回押すと表示ユニットが起動し、さらにスイッチを押す毎に前の取引データが表示ユニットに表示されるように、スイッチで作動することが好ましい。表示ユニットは、比較的長時間スイッチを使用しないでいると電源が切れることが好ましい。
【００１４】
本発明はさらに、電子財布を動作させるための方法を提供する。本発明の方法にしたがえば、取引の終了後に取引データが金銭管理ＩＣのメモリから別個のメモリにコピーされ、これは既知のトランザクションと同様に実装プロトコルにしたがって行われる。別個のメモリへのコピー操作の終了後、表示コントローラが、データが完全に転送されたことを示すための確認信号を金銭管理ＩＣに送ることが好ましい。この第１の確認信号の受領後、金銭管理ＩＣは端末に第２の確認信号を送る。続いて端末は、この第２の確認信号の結果として、ユーザにカードの取出しを求めるメッセージを視覚または音響表示部に示し、その後端末との交信が終了する。
【００１５】
発明の詳細な説明
以降、本発明のデータ記憶媒体の基本構造を示す図１を参照して本発明をさらに詳細に説明する。
【００１６】
図１は、スマートカード、好ましくは、コンタクト面２１をもつモジュールに配された金銭管理ＩＣ２を含む財布スマートカードを示す。
【００１７】
さらに、財布スマートカード１は、金銭管理ＩＣとは別に配された機能ユニット４により制御される表示ユニット３を備える。機能ユニット４は、データ入力／出力ラインＩ／Ｏが、クロック供給ラインＣＬＫ及び電力供給ラインＶＣＣとともに金銭管理ＩＣから届く、金銭管理ＩＣインターフェース５を備える。接続ラインが金銭管理ＩＣインターフェース５からバッファ６に届き、バッファ６から不揮発性の別個のメモリ７に達する。バッファ６はＲＡＭとして実施されることが好ましく、一方別個のメモリ７は不揮発性性メモリ、好ましくはＥ２ＰＲＯＭ（電気的に消去可能なプログラマブルＲＯＭ）として実施される。
【００１８】
不揮発性メモリ７は表示コントローラ１０に接続され、表示コントローラ１０は続いて表示ユニット３を制御する。表示ユニットは、不揮発性メモリ７に格納され、したがって表示のために解放されるデータだけを表示することができる。
【００１９】
電力またはクロック供給は、カード上に配されたエネルギー供給ユニット１２と接続されたアナログインターフェース９を介して行われる。エネルギー供給ユニット１２はスイッチを介してアナログインターフェースに接続することもできる。アナログインターフェースを介して供給されるエネルギーにより、表示コントローラ１０及びクロック発生器８だけでなく、不揮発性メモリ７も利用可能になる。クロック発生器８は、表示コントローラ１０のクロック源として、表示コントローラ１０のためにはたらく。本発明にとり、表示ユニット３を制御するためのコントローラ１０が、エネルギー供給無しまたは金銭管理ＩＣの動作無しで、すなわちカードが端末に挿入されることなく、動作でき、よってデータが表示ユニットに表示され得ることが肝要である。コントローラ１０の独立性によりエネルギー消費が低められ、表示ユニット３及びそのコントローラ１０にカード１の寿命にわたりエネルギーを供給する、エネルギー源１２を用いることが容易に可能になる。言及しておくべきエネルギー源の例は、薄膜電池、平型蓄電池、圧電素子または太陽電池である。
【００２０】
コントローラ１０及び別個のメモリ７への、及び必要に応じてバッファ６への、クロック供給のために用いられるクロック発生器８は、本発明にしたがい、金銭管理ＩＣのクロック周波数より著しく低いことが好ましいクロック周波数を発生する。これにより、表示ユニット及びそのコントローラのためのエネルギー消費のさらなる低減が可能になる。
【００２１】
金銭管理ＩＣインターフェースは、電力供給用のＶＣＣ入力、外部クロック用のＣＬＫ入力及びデータ用のＩ／Ｏ入力を有する。データ交換のため、Ｉ／Ｏインターフェースは双方向性または単方向性であるように実施され、複数のパラレルＩ／Ｏラインを備えることもできる。
【００２２】
単方向性実施形態では、金銭管理ＩＣのデータをメモリ６または７に書き込むことはできるが、金銭管理ＩＣへのデータの再書込は不可能である。これにより、金銭管理ＩＣに格納されたデータの改竄が防止される。
【００２３】
しかし、双方向性実施形態は、コントローラ１０から金銭管理ＩＣ２へのデータコピー操作に関するフィードバックが可能になるという利点を有する。
【００２４】
表示ユニットに表示されるデータ、すなわちコントローラ１０に金銭管理ＩＣから転送されるデータは秘密維持の必要がないから、データ転送に対する追加のセキューリティ装置は必要ではない。
【００２５】
表示されるべきデータは、金銭管理ＩＣの端末とのトランザクションが金銭管理ＩＣ上の取引データが更新される程度まで完了した後に、Ｉ／Ｏラインを介し、金銭管理ＩＣインターフェースを介して、バッファ６または追加のメモリ７に送られる。追加のメモリ７または少なくともバッファ６へのデータ転送が完了した後でなければ、確認信号によるトランザクション完了の通知が端末に送られることはない。
【図面の簡単な説明】
【図１】本発明のデータ記憶媒体の基本構造を示す図
【符号の説明】
１　　財布スマートカード
２　　金銭管理ＩＣ
３　　表示ユニット
４　　機能ユニット
５　　金銭管理ＩＣインターフェース
６　　バッファ
７　　不揮発性メモリ
８　　クロック発生器
９　　アナログインターフェース
１０　　表示コントローラ
１２　　エネルギー供給ユニット
【国際公開パンフレット】
2004504678.tif 000003
2004504678.tif 000004
2004504678.tif 000005
2004504678.tif 000006
2004504678.tif 000007
2004504678.tif 000008
2004504678.tif 000009
2004504678.tif 000010
2004504678.tif 000011
2004504678.tif 000012
2004504678.tif 000013
【国際公開パンフレット（コレクトバージョン）】
2004504678.tif 000014
2004504678.tif 000015
【国際調査報告】
2004504678.tif 000016
2004504678.tif 000017
2004504678.tif 000018
2004504678.tif 000019
2004504678.tif 000020
2004504678.tif 000021